(57)【特許請求の範囲】
【請求項１】
開口を有するハウジングと前記開口を閉塞する前面レンズとで構成される灯室を備え、前記灯室内において、凸レンズを具備するランプユニットが前記凸レンズを前記前面レンズに対向させて配置され、
前記前面レンズ側から観た場合、前記ランプユニットと前記ハウジングとの間において背部が目視されるのを回避するインナーパネルを具備し、前記凸レンズの中心軸に対して上方に５０°から７５°の範囲内の角度で太陽光が前記凸レンズの上方の前方面から入射する車両用灯具であって、
前記範囲内の角度の前記太陽光が前記凸レンズの上方の前方面から入射された後に、前記凸レンズの後方面で反射され、さらに、前記凸レンズの下方の前方面から出射される出射光の疑似焦点を生じせしめる箇所によって形成される曲線を設定し、
少なくとも前記凸レンズの下方に配置されるインナーパネルを、前記曲線よりも上方に位置づけるように構成するようにしたことを特徴とする車両用灯具。
【請求項２】
前記曲線よりも上方に位置づけられる前記インナーパネルは、他の部分に配置されるインナーパネルと分離されて構成されていることを特徴とする請求項１に記載の車両用灯具。
【請求項３】
前記曲線よりも上方に位置づけられる前記インナーパネルは、前記凸レンズ側の端部より前記凸レンズと反対側の先端部が下方に位置づけられて傾斜して配置され、
前記インナーパネルの先端部は、該先端部と隙間を有して上方に水平配置される被い体を具備することを特徴とする請求項１および請求項２のいずれかに記載の車両用灯具。
【請求項４】
前記被い体の表面は粗面となっていることを特徴とする請求項３に記載の車両用灯具。
【発明の詳細な説明】
【技術分野】
【０００１】
本発明は車両用灯具に係り、いわゆるプロジェクタ型ランプを具備する車両用灯具に関する。
【背景技術】
【０００２】
たとえば車両のヘッドランプとして用いられる車両用灯具は、車両の前方に開口が形成されたハウジングと、このハウジングの開口を閉塞する前面レンズによって構成される灯室を備え、この灯室内にプロジェクタ型ランプを配置させて構成されている。
【０００３】
プロジェクタ型ランプは、少なくとも、バルブからなる光源と、たとえば放物面を有し前記光源からの光を前方へ照射させるための反射鏡（リフレクタ）と、この反射鏡の前方に配置される凸レンズと、で構成され、該凸レンズから照射されるプロジェクタ型ランプからの光は、前記灯室の前面レンズを通して車両の前方に照射されるようになっている。
【０００４】
そして、車両用灯具を前面レンズ側から観た場合、プロジェクタ型ランプとハウジングとの間の隙間を通して背部が目視されるのを回避させるため、前記隙間に遮蔽板として機能させるインナーパネルが配置されるようになっている。
【０００５】
この場合、プロジェクタ型ランプの凸レンズには、その上方から太陽光が入射され易くなっており、その入射光は凸レンズの平坦な後方面で反射され、その反射光は凸レンズの下方の前面から出射されるようになる。このため、凸レンズを介して出射される太陽光はプロジェクタ型ランプの下方側のインナーパネル面のある個所において焦点（以下、疑似焦点と称する）を生じせしめ、該個所においてインナーパネルの焼損（熱変形、熱変色等）が生じてしまうことが知られている（下記特許文献１、２参照）。
【０００６】
このような不都合を解消するため、たとえば、特許文献１では、プロジェクタ型ランプの下方側のインナーパネルの表面に遮熱板を配設させ、この遮熱板によってインナーパネルへの熱の伝導を回避させた技術が開示されている。また、特許文献２では、プロジェクタ型ランプの周辺のインナーパネルにフード状のインナーフィニッシャを一体に形成し、このインナーフィニッシャによって灯室の前面レンズとの間の隙間を僅少となるようにし、これにより、太陽光がインナーフィニッシャによって、プロジェクタ型ランプの凸レンズ側に入射し難く構成し、これにより、太陽光がインナーパネルに疑似焦点を生じせしめるのを回避させる技術が開示されている。
【先行技術文献】
【特許文献】
【０００７】
【特許文献１】実公平6-10562号公報
【特許文献２】実開平4-59003号公報
【発明の概要】
【発明が解決しようとする課題】
【０００８】
しかし、特許文献１に示す技術は、インナーパネルの表面に遮熱板を配設させることから、構成が煩雑となるとともに、遮熱板の材料も限定され、車両用灯具の意匠上の観点からも好ましくない場合が生じるようになる。
【０００９】
また、特許文献２に示す技術においても、インナーパネルにフード状のインナーフィニッシャを一体に形成しなければならないことから、構成が煩雑となるとともに、インナーフィニッシャの形状も限定され、車両用灯具の意匠上の観点からも好ましくない場合が生じるようになる。
【００１０】
本発明は、このような事情に鑑みてなされたものであり、その目的は、構成において大幅な変更なく、しかも簡単な構成によって、太陽光の疑似焦点によってインナーパネルの変形、溶解、焼損等を回避した車両用灯具を提供することにある。
【課題を解決するための手段】
【００１１】
このような目的を達成するために、本発明は、プロジェクタ型ランプの凸レンズに入射された太陽光の該凸レンズからの出射光において疑似焦点を生じせしめる箇所が、その位置を特定できる曲線として顕在されることに鑑み、少なくとも前記凸レンズの下方に配置されるインナーパネルを、前記曲線よりも上方に位置づけるように構成するようにしたものである。
【００１２】
このように構成することによって、太陽光がプロジェクタ型ランプの凸レンズの下方に配置されるインナーパネルに疑似焦点を生じせしめることがなくなり、該インナーパネルに変形、溶解、焼損等が生じるのを回避できる効果を奏する。そして、プロジェクタ型ランプの凸レンズの下方に配置されるインナーパネルは従来の位置よりも若干上方に移動させるようにすればよいことから、構成において大幅な変更なく、しかも簡単な構成によって上記効果を奏する。
【００１３】
本発明は、以下の構成によって把握される。
（１）本発明の車両用灯具は、開口を有するハウジングと前記開口を閉塞する前面レンズとで構成される灯室を備え、前記灯室内において、凸レンズを具備するランプユニットが前記凸レンズを前記前面レンズに対向させて配置され、前記前面レンズ側から観た場合、前記ランプユニットと前記ハウジングとの間において背部が目視されるのを回避するインナーパネルを具備する車両用灯具であって、車両用灯具が車両に組み込まれた場合において、太陽光が前記凸レンズの上方の前方面から入射された後に、前記凸レンズの後方面で反射され、さらに、前記凸レンズの下方の前方面から出射される出射光の疑似焦点を生じせしめる箇所によって形成される曲線を設定し、少なくとも前記凸レンズの下方に配置されるインナーパネルを、前記曲線よりも上方に位置づけるように構成するようにしたことを特徴とする。
（２）本発明の車両用灯具は、（１）の構成において、前記曲線よりも上方に位置づけられる前記インナーパネルは、他の部分に配置される前記インナーパネルと分離されて構成されていることを特徴とする。
（３）本発明の車両用灯具は、（１）および（２）のいずれかの構成において、前記曲線よりも上方に位置づけられる前記インナーパネルは、前記凸レンズ側の端部より前記凸レンズと反対側の先端部が下方に位置づけられて傾斜して配置され、前記インナーパネルの先端部は、該先端部と隙間を有して上方に水平配置される被い体を具備することを特徴とする。
（４）本発明の車両用灯具は、（３）の構成において、前記被い体の表面は粗面となっていることを特徴とする。
【発明の効果】
【００１４】
本発明による車両用灯具によれば、構成において大幅な変更なく、しかも簡単な構成によって、太陽光の疑似焦点によるインナーパネルの変形、溶解、焼損等を回避することができる。
【図面の簡単な説明】
【００１５】
【図１】本発明の車両用灯具の凸レンズに入射される太陽光の疑似焦点と該凸レンズの下方に配置されるインナーパネルとの位置関係を示す図である。
【図２】本発明の車両用灯具を前方から観た正面図である。
【図３】図２のIII−III線における断面図である。
【図４】プロジェクタ型ランブの凸レンズに入射される太陽光によって形成される疑似焦点を含む曲線を示す説明図である。
【図５】本発明の車両用灯具の効果を示す説明図である。
【発明を実施するための形態】
【００１６】
以下、添付図面を参照して、本発明を実施するための形態（以下、実施形態）について詳細に説明する。なお、実施形態の説明の全体を通して同じ要素には同じ番号を付している。
（実施形態１）
図２は、本発明の車両用灯具を前方から観た正面図である。図２に示す車両用灯具は、車両を正面から観た場合、たとえば左側に取り付けられるヘッドライトを示している。また、  図３は、図２のIII−III線に示す断面図である。
【００１７】
図２において、車両用灯具１０の灯室の一部を構成するハウジング（図３にて符号１１で示す）は、図２中に示す車両用灯具１０の外輪郭部に相当する箇所に開口端を有すように形成され、この開口端において前面レンズ（図３にて符号１２で示す）の周辺が密着されるようになっている。なお、ハウジング１１および前面レンズ１２は、車両の流線形状に合わせた形状に拘束されながらも、意匠的に観て審美性を有する特異な形状で構成されている。
【００１８】
このように構成される灯室（図３にて符号１３で示す）には、プロジェクタ型ランプ（図３にて符号２０で示す）が配置され、該プロジェクタ型ランプ２０の正面に取り付けられる凸レンズ２１が前記前面レンズ１２を通して目視されるようになっている。
【００１９】
プロジェクタ型ランプ２０とハウジング１１の間には、インナーパネル３０が配置され、このインナーパネル３０が遮蔽板の機能を有するようになって、ハウジング１１の内部が目視されないようになっている。
【００２０】
なお、インナーパネル３０の前方であって、プロジェクタ型ランプ２０に対してたとえば右上の箇所において、比較的小さな径を有するたとえば３個のランプから構成されるクリアランスランプ４０が配置されている。
【００２１】
図３において、ハウジング１１の前方に形成される開口端には、溝部１１Ａが形成され、この溝部１１Ａには前面レンズ１２の周縁が嵌合されるとともに、該溝部１１Ａ内に予め塗布されたシール材１４によって密着されるようになっている。ハウジング１１と前面レンズ１２とで構成される灯室１３にはプロジェクタ型ランプ２０が、その凸レンズ２１を前面レンズ１２に対向するように、配置されている。
【００２２】
プロジェクタ型ランプ２０は、たとえば放物面からなる反射鏡（リフレクタ）２２と、この反射鏡２２の焦点位置に配置させたバルブからなる光源２３と、この光源２３の前方に配置されたシェード２４と、このシェード２４の前方に配置された前記凸レンズ２１と、前記シェード２４を支持し、凸レンズ２１と反射鏡２２との間の空間を画する円筒部２５と、によって構成されている。なお、このプロジェクタ型ランプ２０は、ハウジング１１に対してたとえば光軸調整機構を介して取り付けられているが、図３では該光軸調整機構を省略して示している。
【００２３】
そして、プロジェクタ型ランプ２０の凸レンズ２１の近傍において、プロジェクタ型ランプ２０とハウジング１１との間にインナーパネル３０が配置されている。すなわち、インナーパネル３０は、プロジェクタ型ランプ２０の凸レンズ２１を露出させ、該凸レンズ２１の周辺からハウジング１１の側に延在される形状を有することによって、このインナーパネル３０の背部の空間が目視されるのを回避できるようになっている。
【００２４】
このインナーパネル３０のうち、凸レンズ２１の上方におけるインナーパネル（説明の便宜上、上部インナーパネル３０Ｕと称する）は、たとえば、前方端が凸レンズ２１の周縁に近接し、後方端がハウジング１１に近接するようにして前方端よりも上方になるように傾斜して配置されている。また、インナーパネル３０のうち、凸レンズ２１の下方におけるインナーパネル（説明の便宜上、下部インナーパネル３０Ｄと称する）は、たとえば、後方端が凸レンズ２１の周縁に近接し、前方端が前面レンズ１２に近接するようにして前方端よりも下方になるように傾斜して配置されている。
【００２５】
上部インナーパネル３０Ｕと下部インナーパネル３０Ｄは、前方から観た凸レンズ２１の両脇のそれぞれに配置される側部インナーパネル（図２に符号３０Ｓで示す）を介して接続されるようになっている。
【００２６】
インナーパネル３０は、その全体において、上方が後方に位置づけられ、下方が前方に位置づけられるようにして傾斜して配置されている。そして、ハウジング１１の開口端（前面レンズ１２の周縁）もインナーパネル３０の配置形態に応じて形成され、これにより、プロジェクタ型ランプ２０の凸レンズ２１の上方において、図中矢印α方向から太陽光が照射され易くなっている。
【００２７】
ここで、この実施形態１では、下部インナーパネル３０Ｄは、上部インナーパネル３０Ｕ、側部インナーパネル３０Ｓとともに、一体に形成される第１下部インナーパネル３０Ｄ’と、この第１下部インナーパネル３０Ｄ’と分離（機械的に）され、該第１下部インナーパネル３０Ｄ’の上方に配置される第２下部インナーパネル３０Ｄ”（この明細書では、単に、凸レンズの下方に配置されるインナーパネルと称する場合がある）とで構成されている。
【００２８】
第２下部インナーパネル３０Ｄ”は、第１下部インナーパネル３０Ｄ’の上方に配置され、たとえば、その前方端は後端部よりも下方になるように傾斜して配置されている。ここで、第２下部インナーパネル３０Ｄ”は、予め設定された曲線（図１、図４にて符号ＢＦで示す）よりも上方に位置づけられるように配置されている。この曲線ＢＦについては後に図１、および図４を用いて詳述する。
【００２９】
第１下部インナーパネル３０Ｄ’は、その前方端が、第２下部インナーパネル３０Ｄ”の前方端を回り込み、凸レンズ２１側に屈曲されるとともにほぼ水平に延在する延在部３１を具備するようになっている。この延在部３１は、第２下部インナーパネル３０Ｄ”の先端部との間に隙間を有するようにして該先端部を被う被い体として機能するようになっている。そして、該被い体（延在部３１）の表面には、たとえば金属が蒸着され、粗面３２となるように構成されている。後に説明するように、プロジェクタ型ランプ２からの迷光の反射によるグレアを防止するためである。この場合、粗面とすることなく、たとえば黒塗装をすることによっても同様の効果を奏することができる。
【００３０】
図１は、図３と対応づけて描いた図で、上述した曲線ＢＦとこの曲線ＢＦに対する第２下部インナーパネル３０Ｄ”の配置箇所を示した図である。なお、図１では、前面レンズ１２、光源２３等の描画は省略して示している。
【００３１】
図１において、車両用灯具１０の上方から照射される太陽光Ｌは、ハウジング１１、上部インナーパネル３０Ｕによって妨げられることなく、凸レンズ２１の上方の前方面から該凸レンズ２１の中心側に入射されるようになる。凸レンズ２１に入射された太陽光は、該凸レンズ２１の後方面２１Ｂで反射され、さらに該凸レンズ２１の下方の前方面から出射されるようになる。
【００３２】
この場合、凸レンズ２１から出射された光は、隣接する光束同志で疑似焦点ＩＦを結び、このような疑似焦点ＩＦは、他の光束同志で形成される各疑似焦点ＩＦとの集合による前記曲線ＢＦを構成するようになる。
【００３３】
図１では、凸レンズ２１の下方の下部インナーパネル３０Ｄの近傍において、該下部インナーパネル３０Ｄが存在しないものとして、凸レンズ２１からの出射される太陽光が形成する疑似焦点ＩＦを示している。この疑似焦点ＩＦによって形成される曲線ＢＦは、前方の一端から下方に湾曲して後方へ延在するように形成される。
【００３４】
図４は、上述した凸レンズ２１を用い、その上方から太陽光Ｌを入射させ、凸レンズ２１の後方面２１Ｂで反射させ、凸レンズ２１の下方から出射させた場合の各光束をシミュレートした場合の図である。この場合、凸レンズ２１の中心軸Ｏより下方から出射される光の前方側の包絡線は凸レンズ２１の前方面２１Ｆの形状等によって定まり、これにより、凸レンズ２１の下方からの出射光によって形成される疑似焦点ＩＦの集合からなる曲線ＢＦの前方の一端（図中Ａで示す）が特定されるようになる。
なお、前記曲線ＢＦは、凸レンズ２１の中心軸Ｏに対して上方に５０°から７５°の範囲内の角度で該凸レンズ２１に入射される光を対象として算出させたものとなっている。凸レンズ２１の中心軸Ｏに対して上方に５０°から７５°の範囲内の角度で入射される光は、比較的強い光となり、該凸レンズ２１の下方からの出射光は、下部インナーパネル３０Ｄを変形、溶解、焼損等させる恐れがあるからである。
【００３５】
そして、図１に戻り、第２下部インナーパネル３０Ｄ”は、前記曲線ＢＦの前記一端Ａよりも上方に配置されることにより、該曲線ＢＦの全域にわたって、それよりも上方に配置されることになる。また、第２下部インナーパネル３０Ｄ”は、その前端部が後端部よりも下方に位置づけられ、傾斜を有して配置されている。
【００３６】
これにより、プロジェクタ型ランプ２０の凸レンズ２１から照射されるいわゆる迷光は、図中点線Ｐに示すように、第２下部インナーパネル３０Ｄ”の表面に照射され、反射された後に、該第２下部インナーパネル３０Ｄ”と前記第１下部インナーパネル３０Ｄ’の被い体３１との間の隙間に照射され易くなる。このため、車両の前方側から観た場合、該迷光を目視し難くなり、グレアを防止できる効果を奏する。
【００３７】
さらに、前記被い体３１の表面には、たとえば金属が蒸着されて表面が粗面３２となっていることから、プロジェクタ型ランプ２０の凸レンズ２１から照射される迷光が、図中矢印Ｑで示すように、該被い体３１に照射されても該迷光が乱反射され、グレアを防止できる効果を奏する。
（実施形態２）
実施形態１では、下部インナーパネル３０Ｄは、第１下部インナーパネル３０Ｄ’と第２下部インナーパネル３０Ｄ”とで構成させるようにしたものである。しかし、これに限定されることはなく、たとえば、第１下部インナーパネル３０Ｄ’を備えることはなく、第２下部インナーパネル３０Ｄ”のみで構成するようにしてもよいことはもちろんである。また、この場合において、第２下部インナーパネル３０Ｄ”は、上部インナーパネル３０Ｕ、側部インナーパネル３０Ｓと一体に形成するようにしてもよい。
【００３８】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００３９】
１０……車両用灯具、１１……ハウジング、１１Ａ……溝部、１２……前面レンズ、１３……灯室、１４……シール材、２０……プロジェクタ型ランプ、２１……凸レンズ、２１Ｂ……後方面（凸レンズの）２２……反射鏡、２３……光源、２４……シェード、２５……円筒部、３０……インナーパネル、３０Ｕ……上部インナーパネル、３０Ｄ……下部インナーパネル、３０Ｄ’……第１下部インナーパネル、３０Ｄ”……第２下部インナーパネル、３０Ｓ……側部インナーパネル、３１……延在部（被い体）、３２……粗面、４０……クリアランスランプ。
【図１】
0005849754.tif 000002
【図２】
0005849754.tif 000003
【図３】
0005849754.tif 000004
【図５】
0005849754.tif 000005
【図４】
0005849754.tif 000006